(57)【要約】【課題】貼り薬の剥離シートを剥がす際、薬部の縁を巻き込まずに貼り薬の薬部が手に貼り付いてしまう不都合を最小限に抑え、且つ、持ち運びに便利な貼り薬の貼付補助器を提供する。【解決手段】可撓性を有するベースシート１２と、該ベースシート１２に設けられ、中央に切れ目７８が設けられた剥離シート７４を有する貼り薬７０を保持可能な貼り薬保持部材６０と、該貼り薬保持部材６０の両側に位置してベースシート１２に移動可能に保持された可撓性を有する握持部材３０とを備える。各握持部材３０は、貼り薬保持部材６０に保持された状態の貼り薬７０の切れ目７８で対向する剥離シート７４の両縁部をそれぞれ保持可能な剥離シート７４保持部３２をそれぞれ有する。【選択図】図１
2012170480.tif 000002
【特許請求の範囲】
【請求項１】
可撓性を有するベースシートと、
該ベースシートに設けられ、中央に切れ目が設けられた剥離シートを有する貼り薬を保持可能な貼り薬保持部材と、
該貼り薬保持部材の両側に位置して前記ベースシートに移動可能に保持された可撓性を有する握持部材とを備え、
各握持部材は、前記貼り薬保持部材に保持された状態の前記貼り薬の切れ目で対向する前記剥離シートの両縁部をそれぞれ保持可能な剥離シート保持部をそれぞれ有することを特徴とする貼り薬の貼付補助器。
【請求項２】
前記貼り薬保持部材は、前記ベースシートの装着部に着脱可能に取り付けられると共に、前記貼り薬を保持した状態で、当該貼り薬の剥離シートの切れ目を表として裏側に折り畳み可能とされ、折り畳まれた状態で前記ベースシートの装着部に取り付けられることを特徴とする請求項１に記載の貼り薬の貼付補助器。
【請求項３】
前記剥離シート保持部は、ヒンジ部にて連結されて前記剥離シートの縁部を挟持する一対の挟持部材を備え、
各挟持部材は、先端部に設けられた滑り止め部材と、該滑り止め部材の周囲に設けられた永久磁石を対向する位置にそれぞれ有し、各永久磁石は相互に異なる極性を有すると共に、前記滑り止め部材の厚さ寸法は前記永久磁石より大きく設定されていることを特徴とする請求項１又は請求項２に記載の貼り薬の貼付補助器。
【発明の詳細な説明】
【技術分野】
【０００１】
本発明は、貼り薬を自分の体に貼るための補助器に関するもので、特に他人の手を借りずに身体の所望部分に貼り薬を確実に貼り付けるための貼り薬の貼付補助器に関するものである。
【背景技術】
【０００２】
従来より湿布薬等の貼り薬を自分自身で自分の腰や背中等の患部に貼り付ける場合、貼り薬の貼り面の剥離シートを剥がした後、貼り薬を手で掴んで慎重に患部に貼るようにしていた。しかし、把持している部分で貼り薬の薬部が手に貼り付いてしまい、患部に貼るときに貼り薬がよじれたり、端縁部が折れ曲がった状態で貼り付けられてしまうことがあった。また、手が届き難い背中などの患部に貼り薬を貼るときには、患部からずれた位置に貼付されてしまうこともあった。
【０００３】
そのため、特に手の届き難い背中などの患部に貼り薬を貼るときは、人の手を借りて貼っているのが実状であった。しかし、周囲に人がいない場合は、人の手を借りることができないので、一人で貼らなければならず、前述のように手が届き難い箇所の患部に一人で確実に貼ることは難しい。そのため、一人では貼り難い箇所へでも貼り薬の貼り付けを、人の手を借りずに手の届き難い背中などの患部に一人でも簡単に貼ることができる貼り薬の貼付補助器の開発が望まれていた。
【０００４】
そこで、人手を借りずに背中や腰等の手が届き難い患部に貼り薬を貼ることができるものとして種々のものが提案されている。例えば、背中側に吸引ヘッドを胸側に操作部を備え、中間部を屈曲して内部に連通孔を有する支持フレームを設け、胸側のスイッチを押すことによりファンが廻りその吸引力で湿布等の貼り薬を吸引固定するものがある。これを使用する場合は、剥離シートが剥がされた貼り薬を吸引ヘッドに吸引して、容易に手が届き難い体の一部に押し付けながらスイッチを切ることにより人体に貼着させることになるが、ファンやモータを使用しているためコストアップしてしまうと共に重量も重く、汎用性に欠けていた。また、ローラに湿布等の貼り薬を巻き付け、ローラを転がして貼るものもあるが、ローラに貼り薬を巻き付けるのが困難であり、使い勝手が悪かった。
【０００５】
また、上記問題点を対策したものとして、貼り薬の粘着面を表にして、当該貼り薬の一辺を挟み板の爪と押え板の間に挟み、貼り薬にしわがよらないようにしながら操作部を持って支持アームを肩から徐々に背中に当接させる。そして、挟み板の突起の接触感で最終的な貼り薬の貼り位置が決まったら、支持アームを操作して、突起を支点にして押え板の貼り薬を背中に圧着して貼り付ける。これにより、一人では手の届き難い体の所望部分に貼り薬を貼り付けていた（特許文献１参照）。
【特許文献１】特開２００１−１２９０９８
【発明の開示】
【発明が解決しようとする課題】
【０００６】
しかしながら、従来の貼り薬を貼るものは、貼り薬から剥離シートを剥がした後でなければ、貼り薬を挟み板に準備できない。この場合、剥離シートが剥がされた貼り薬の薬部全体を露出させた状態であり、不注意で貼り薬の薬部が手に貼り付いてしまうためやはり取り扱いが困難であった。
【０００７】
また、剥離シートを全部剥がした状態で貼り薬が挟み板に準備され、そのまま体に貼り付けられていたため、貼り薬に空気（気泡）が入った状態で貼られてしまう。このため、貼り付けた貼り薬に気泡による突部ができたり、しわがよってしまったりするため、体に貼り薬を綺麗に貼ることができなかった。
【０００８】
また、一人では手の届き難い背中などの患部に貼り薬を圧着させるため、支持アームは所定の強度を有すると共に、所定の大きさを呈していた。このため、旅行などの出先で使用する場合、貼り薬の貼付補助器の持ち運びに不便があった。
【０００９】
特に、貼り薬は剥離シートを剥がす際、どうしても貼り薬の薬部に手が貼り付いてしまう。このため、剥離シートを剥がす際、薬部の縁を巻き込んでしまうという不都合な問題もあった。
【００１０】
本発明は、係る従来技術の課題を解決するために成されたものであり、貼り薬の剥離シートを剥がす際、薬部の縁を巻き込まずに貼り薬の薬部が手に貼り付いてしまう不都合を最小限に抑え、且つ、持ち運びに便利な貼り薬の貼付補助器を提供することを目的とする。
【課題を解決するための手段】
【００１１】
即ち、本発明の貼り薬の貼付補助器は、可撓性を有するベースシートと、該ベースシートに設けられ、中央に切れ目が設けられた剥離シートを有する貼り薬を保持可能な貼り薬保持部材と、該貼り薬保持部材の両側に位置してベースシートに移動可能に保持された可撓性を有する握持部材とを備え、各握持部材は、貼り薬保持部材に保持された状態の貼り薬の切れ目で対向する剥離シートの両縁部をそれぞれ保持可能な剥離シート保持部をそれぞれ有することを特徴とする。
【００１２】
また、請求項２の発明の貼り薬の貼付補助器は、上記において、貼り薬保持部材は、ベースシートの装着部に着脱可能に取り付けられると共に、貼り薬を保持した状態で、当該貼り薬の剥離シートの切れ目を表として裏側に折り畳み可能とされ、折り畳まれた状態でベースシートの装着部に取り付けられることを特徴とする。
【００１３】
また、請求項３の発明の貼り薬の貼付補助器は、請求項１又は請求項２のうちのいずれかにおいて、剥離シート保持部は、ヒンジ部にて連結されて剥離シートの縁部を挟持する一対の挟持部材を備え、各挟持部材は、先端部に設けられた滑り止め部材と、該滑り止め部材の周囲に設けられた永久磁石を対向する位置にそれぞれ有し、各永久磁石は相互に異なる極性を有すると共に、滑り止め部材の厚さ寸法は永久磁石より大きく設定されていることを特徴とする。
【発明の効果】
【００１４】
本発明によれば、可撓性を有するベースシートと、該ベースシートに設けられ、中央に切れ目が設けられた剥離シートを有する貼り薬を保持可能な貼り薬保持部材と、該貼り薬保持部材の両側に位置してベースシートに移動可能に保持された可撓性を有する握持部材とを備え、各握持部材は、貼り薬保持部材に保持された状態の貼り薬の切れ目で対向する剥離シートの両縁部をそれぞれ保持可能な剥離シート保持部をそれぞれ有するので、貼り薬保持部材がベースシートの装着部に装着された状態で、貼り薬の中央から離間する方向に剥がされた剥離シートを握持部材の剥離シート保持部で保持させることが可能となる。これにより、両側の握持部材を相互に離間させるだけで、貼り薬の薬部に手が触れることなく剥離シートを剥がすことが可能となる。従って、各握持部材をそれぞれ手で持って、薬部を一人では手の届き難い体の所望部分に貼り付けた後、握持部材を相互に離間する方向に離間させるだけで、貼り薬の薬部から剥離シートを剥がすことができ、一人では手の届き難い体の所望部分に貼り薬を貼ることができる。
【００１５】
特に、ベースシートと握持部材とは可撓性を有しているので、貼り薬の貼付補助器をコンパクトに折り畳むことができる。これにより、貼り薬の貼付補助器をハンドバックなどに収納することが可能となる。従って、貼り薬の貼付補助器を容易に持ち運ぶことができるようになるので、旅行先や外出先などで貼り薬の貼付補助器を使用することができ、貼り薬の貼付補助器の利便性を大幅に向上させることができるようになるものである。
【００１６】
また、請求項２の発明によれば、上記において、貼り薬保持部材は、ベースシートの装着部に着脱可能に取り付けられると共に、貼り薬を保持した状態で、当該貼り薬の剥離シートの切れ目を表として裏側に折り畳み可能とされ、折り畳まれた状態でベースシートの装着部に取り付けられるので、例えば貼り薬保持部材をベースシートの装着部に取り付ける以前に当該貼り薬保持部材の中央に貼り薬をセットして折り畳めば、貼り薬の剥離シートは弾性力で剥離して中央の切れ目部分を、当該貼り薬の薬部から浮き上がらせることができる。これにより、貼り薬の薬部に手が触れることなく簡単に剥離シートを剥がすことが可能となる。また、貼り薬保持部材が折り畳まれて、貼り薬の中央から剥離シートが剥がれた状態で、当該貼り薬保持部材をベースシートの装着部に装着するだけで、剥がれた剥離シートを、ベースシートに移動可能に保持された両握持部材の剥離シート保持部で保持させることが可能となる。従って、各握持部材をそれぞれ手で持って、薬部を一人では手の届き難い体の所望部分に貼り付けた後、握持部材を相互に離間する方向に引き離せば、貼り薬の薬部から剥離シートを剥がすことができるので、貼り薬の貼付補助器の利便性を更に向上させることができるようになるものである。
【００１７】
特に、貼り薬保持部材をベースシートの装着部に取り付ける以前に当該貼り薬保持部材の中央に貼り薬をセットして折り畳むだけで、貼り薬の剥離シートは弾性力で剥離して中央の切れ目部分を、当該貼り薬の薬部から浮き上がらせることができると共に、貼り薬保持部材をベースシートの装着部に装着して中央から両側に剥がれた剥離シートを両握持部材の剥離シート保持部に保持させて、薬部を一人では手の届き難い体の所望部分に貼り付けた後、握持部材を相互に離間する方向に引っ張れば貼り薬の薬部から剥離シートを剥がすことが可能となる。これにより、各握持部材をそれぞれ手で持つことができるので、一人では手の届き難い体の所望部分に容易に薬部を位置決めすることができると共に、貼り薬の薬部に手が触れることがないので、薬部の縁が巻き込まれたり、薬部が手に貼り付いてしまうなどと云った不都合を確実に防止することができるようになるものである。
【００１８】
また、請求項３の発明によれば、請求項１又は請求項２のうちのいずれかにおいて、剥離シート保持部は、ヒンジ部にて連結されて剥離シートの縁部を挟持する一対の挟持部材を備え、各挟持部材は、先端部に設けられた滑り止め部材と、該滑り止め部材の周囲に設けられた永久磁石を対向する位置にそれぞれ有し、各永久磁石は相互に異なる極性を有すると共に、滑り止め部材の厚さ寸法は永久磁石より大きく設定されているので、両挟持部材に設けられた滑り止め部材と滑り止め部材との間に貼り薬の剥離シートがそれぞれ挿入されて、対向する相互に異なる極性の永久磁石が吸着し密着される。これにより、永久磁石よりも厚さが大きな両滑り止め部材にて強力に剥離シートを挟持することができる。従って、握持部材を相互に離間する方向に引っ張った際、両挟持部材から剥離シートが外れてしまうのを確実に防止することができ、薬部から容易に剥離シートを剥がすことができるようになるものである。
【００１９】
また、中央の切れ目から両側に剥がれた剥離シートを剥離シート保持部で保持した状態で、、握持部材を相互に離間する方向に引っ張ることにより薬部から剥離シートを剥がしながら、当該薬部を体に貼るようにしているので、従来のように、貼り薬に空気（気泡）が入った状態で貼られてしまうなどといった不都合も発生しない。このため、貼り付けた貼り薬に気泡による突部も無く、また、貼り薬にしわがよってしまうなど言った不都合も発生しないため、貼り薬を体に綺麗に貼ることができるようになるものである。
【図面の簡単な説明】
【００２０】
【図１】本発明の一実施例を示す貼り薬の貼付補助器の平面図である。
【図２】本発明の一実施例を示す貼り薬の貼付補助器の平面図（貼り薬保持部材を除く）である。
【図３】本発明の貼り薬の貼付補助器を構成するベースシートの平面図である。
【図４】本発明の貼り薬の貼付補助器の裏面図である。
【図５】本発明の貼り薬の貼付補助器を構成する一方の握持部材の平面図である。
【図６】本発明の貼り薬の貼付補助器（両挟持部材を開いた状態）の平面図（貼り薬保持部材を除く）である。
【図７】本発明の貼り薬の貼付補助器の側面図（貼り薬保持部材を除く）である。
【図８】本発明の一実施例を示す貼り薬の貼付補助器を構成する貼り薬保持部材の平面図である。
【図９】同図８の貼り薬の貼付補助器を構成する貼り薬保持部材の側面図である。
【図１０】本発明の貼り薬の貼付補助器に貼り薬がセットされる順序を示す図である。
【図１１】本発明の貼り薬の貼付補助器を構成する貼り薬保持部材が折り畳まれて、貼り薬の剥離シートが開いた状態の平面図である。
【図１２】同図１１の貼り薬の貼付補助器を構成する貼り薬保持部材が折り畳まれて、貼り薬の剥離シートが開いた状態の側面図である。
【図１３】本発明の貼り薬の貼付補助器を構成するベースシートに折り畳まれた貼り薬保持部材がセットされる状態を示す側面図である。
【発明を実施するための最良の形態】
【００２１】
本発明は、貼り薬の剥離シートを剥がす際、薬部の縁の巻き込みや貼り薬の薬部が手に貼り付いてしまうのを防止するため、中央に切れ目を備えた剥離シートを有する貼り薬を貼り薬保持部材で保持することを特徴とする。貼り薬の剥離シートの薬部の縁の巻き込みや貼り薬の薬部が手に貼り付いてしまうのを防止するという目的を、貼り薬を貼り薬保持部材で保持した状態で、当該貼り薬の剥離シートの切れ目を表として裏側に折り畳むだけの簡単な操作で実現した。
【実施例】
【００２２】
次に、図面に基づき本発明の実施の形態を詳述する。図１は本発明の一実施例を示す貼り薬の貼付補助器１０の平面図、図２は本発明の一実施例を示す貼り薬の貼付補助器１０の平面図（貼り薬保持部材６０を除く）、図３は本発明の貼り薬の貼付補助器１０を構成するベースシート１２の平面図、図４は本発明の貼り薬の貼付補助器１０の裏面図、図５は本発明の貼り薬の貼付補助器１０を構成する一方の握持部材３０の平面図、図６は本発明の貼り薬の貼付補助器１０（両挟持部材４０を開いた状態）の平面図（貼り薬保持部材６０を除く）をそれぞれ示している。
【００２３】
本実施形態における貼り薬の貼付補助器１０は、図１、図２に示すように、ベースシート１２と、湿布薬（冷湿布薬或いは温湿布薬など）の貼り薬７０中央に設けられた剥離シート７４の切れ目７８を表として裏側に折り畳まれた状態でベースシート１２の装着部２０に取り付けられる貼り薬保持部材６０と、この貼り薬保持部材６０の両側に位置してベースシート１２に移動可能に保持された握持部材３０とから構成されている。尚、貼り薬７０は、１００ｍｍ×１４０ｍｍに形成された略矩形状の薬部７２の表面に剥離シート７４が剥離可能に貼られ、この剥離シート７４の長手方向の中央には幅方向に渡って、当該剥離シート７４を薬部７２から剥がすための切れ目７８が設けられており、この切れ目７８によって剥離シート７４は長手方向に分離されている、所謂一般的な湿布薬とさてれる。
【００２４】
該ベースシート１２は、図３に示すように、幅約１００ｍｍ、長さ約４８０ｍｍ、厚さ約０．５ｍｍに構成されると共に、このベースシート１２は、可撓性を有する合成樹脂製（例えばＡＢＳ樹脂など）にて構成されている。ベースシート１２の中央には、幅方向一端から他端に渡って貼り薬保持部材６０が装着される装着部２０が設けられると共に、長手方向両端部には握持部材３０がベースシート１２から離脱してしまうのを防止するためのストッパー１４が設けられている。
【００２５】
該ベースシート１２両端部に設けられたストッパー１４は、長さ（ベースシート１２の幅方向）約１３０ｍｍ、幅（ベースシート１２の長さ方向）約１４ｍｍに構成されると共に、ベースシート１２の幅方向両端に約１５ｍｍ突出している。ストッパー１４の厚さは後述する握持部材３０に設けられたホルダー３６の隙間の約２〜３倍の厚さを呈している。これにより、握持部材３０のホルダー３６がストッパー１４にてベースシート１２から抜けてしまうのを確実に防止すると共に、両握持部材３０を相互に離間する方向に引っ張ってベースシート１２に張力を与え、ベースシート１２で貼り薬７０を体に圧着できるように構成されている。尚、３７は、ホルダー３６を固定しているリベット（図６に図示）である。
【００２６】
また、装着部２０には、幅約２４ｍｍ、厚さ約６ｍｍの装着片２２がベースシート１２に接着固定されており、この装着片２２は合成樹脂製のスポンジにて構成されている。そして、この装着片２２の幅方向中心に幅約６ｍｍの係合溝２４が設けられており、係合溝２４の一方（図３下方）は開口し、他方は閉塞してＵ字形状に形成されると共にＵ字形状の底部から他側端までの距離は約４ｍｍに形成されている。
【００２７】
この係合溝２４に後述する貼り薬保持部材６０に設けられた係合部材６２が係合されることにより、ベースシート１２の装着部２０に貼り薬保持部材６０が装着される。尚、１６は、ベースシート１２を二つに折り畳むことができる折り畳線であり、ベースシート１２を折り畳線１６から折り畳むことによりコンパクト化されて、貼り薬の貼付補助器１０を容易に持ち運ぶことができるように構成されている。
【００２８】
また、握持部材３０は、ベースシート１２に設けられた装着部２０の両側（後述する貼り薬保持部材６０の両側となる）に対向して一対設けられると共に、この握持部材３０は、可撓性を有する合成樹脂製（例えばＡＢＳ樹脂など）にて構成されている。尚、一対の握持部材３０は、同じ構成のため以降一方の握持部材３０のみ説明を行う。
【００２９】
握持部材３０は、長さ約２８５ｍｍ、一側（貼り薬保持部材６０側）の幅を約１３０ｍｍ、他側の幅を約６０ｍｍに構成されている。握持部材３０は図４に示すように、当該握持部材３０の貼り薬保持部材６０側の幅方向両側には、対向面を開口する断面コ字状に折曲されたホルダー３６が設けられており、握持部材３０はこのホルダー３６にてベースシート１２に移動可能に保持されている。尚、３８は、握持部材３０を手で持った際、滑って握持部材３０が手から外れてしまうのを防止するための外れ防止部である。
【００３０】
該握持部材３０のホルダー３６とベースシート１２の間は約０．１ｍｍの隙間を有しており、これにより、握持部材３０とベースシート１２は殆どがたなく円滑に移動可能に保持されている。握持部材３０の一側（幅約１３０ｍｍの部分）は、約１３０ｍｍ幅で他側方向に約８０ｍｍ延在し、その部分（幅約１３０ｍｍの部分）に剥離シート保持部３２が設けられている。即ち、握持部材３０には、貼り薬保持部材６０に保持された状態の貼り薬７０の切れ目７８で対向する剥離シート７４の、当該切れ目７８側の両縁部７６（図１２に図示）をそれぞれ保持可能な剥離シート保持部３２が設けられている（図５）。
【００３１】
該剥離シート保持部３２は、図６、図７に示すように握持部材３０に固定される固定片４２と、ヒンジ部３４にて連結され当該ヒンジ部３４にて回動自在（図７矢印）に構成された可動片４４を備えている。即ち、ヒンジ部３４は固定片４２と可動片４４の間に設けられている。固定片４２にヒンジ部３４にて連結された可動片４４は、当該ヒンジ部３４を中心に回動（図７矢印）して固定片４２に吸着可能に構成されると共に、固定片４２と可動片４４の間に剥離シート７４を挟持して保持（挟持して保持を以降保持と称す）できるように構成されている。該剥離シート保持部３２は、固定片４２と可動片４４とで剥離シート７４の縁部７６を保持可能な挟持部材４０を構成している。
【００３２】
また、挟持部材４０には、ヒンジ部３４を中心に固定片４２と可動片４４の先端部に、接着剤にて滑り止め部材４６が固定されている（図６のみ図示）。そして、挟持部材４０にて剥離シート７４が保持された際、滑り止め部材４６にて貼り薬７０の剥離シート７４が滑って外れずに保持できるように構成されている。詳しくは、滑り止め部材４６には微弱粘着力があり、滑り止め部材４６に剥離シート７４が貼り付いても容易に剥がれる程度の粘着力にて構成されている。尚、滑り止め部材４６に剥離シート７４が貼り付いても容易に剥がれる程度の微弱粘着力の技術については、既に周知の技術のため詳細な説明を省略する。
【００３３】
該滑り止め部材４６は、長さ約９８ｍｍ、幅約１５ｍｍ厚さ約２ｍｍの弾性部材（例えばスポンジなど）にて構成されており、各滑り止め部材４６の周囲には永久磁石４８が設けられている（図６のみ図示）。詳しくは、滑り止め部材４６の長手方向両端には、固定片４２及び可動片４４が約１６ｍｍ露出しており、その露出部分と、この露出部分に連続してヒンジ部３４側に約１５ｍｍ、滑り止め部材４６端部から長手方向中心側に約２５ｍｍの範囲に永久磁石４８が設けられている。即ち、永久磁石４８は滑り止め部材４６の端部周囲を囲む形で設けられている。そして、ヒンジ部３４を中心に対向する永久磁石４８は相互に異なる極性を有している。この永久磁石４８は、厚さ約１．５ｍｍに構成されている。尚、永久磁石４８は比較的磁力が弱く、加工可能なゴム系永久磁石にて構成されている。
【００３４】
即ち、滑り止め部材４６の厚さ寸法を永久磁石４８より大きく設定している。具体的には、永久磁石４８の厚さよりも滑り止め部材４６の厚さを０．５ｍｍ突出させている。これにより、挟持部材４０にて剥離シート７４を保持（ヒンジ部３４を中心に対向する永久磁石４８が吸着）した際、対向する滑り止め部材４６が弾性圧縮され、その弾性力で剥離シート７４を強力に保持し、挟持部材４０から剥離シート７４が滑って外れてしまうのを防止している。
【００３５】
この場合、挟持部材４０は、対向する両永久磁石４８を、相互に異なる極性としているので、吸着した両永久磁石４８を当該永久磁石４８の吸引力より強い力で離間させれば、対向する滑り止め部材４６の間に容易に剥離シート７４を挿入させることができるようになると共に、保持した剥離シート７４を容易に外すことができる。
【００３６】
係る滑り止め部材４６にて剥離シート７４を保持しているので、挟持部材４０が弱い圧着力で剥離シート７４を保持した場合でも当該剥離シート７４が挟持部材４０から外れてしまうのを防止することができる。これにより、挟持部材４０のヒンジ部３４に連結された対向する永久磁石４８を吸着させた際、剥離シート７４を強力に保持しつつ人の手で容易に離間させることが可能な吸着力の永久磁石４８を使用することができる。
【００３７】
また、滑り止め部材４６は、ベースシート１２の装着部２０側に、当該滑り止め部材４６と略同等の大きさで厚さ５ｍｍの押圧材５４が設けられており、この押圧材５４は滑り止め部材４６よりも柔らかく弾力性を有するスポンジにて構成されている。この場合、押圧材５４は挟持部材４０同等の厚さにて構成されている。この場合、押圧材５４を挟持部材４０同等の厚さに構成することで、両握持部材３０を離間する方向に強く引っ張った際、押圧材５４にて貼り薬７０を体に圧着できるように構成されている。
【００３８】
前記、貼り薬保持部材６０は、後述する５重に折った折り部１８の両端の片を除き、その間の３片を広げた大きさが貼り薬７０同等の大きさとされている。この貼り薬保持部材６０もベースシート１２同様可撓性を有する合成樹脂製（例えばＡＢＳ樹脂など）にて構成されている。該貼り薬保持部材６０は、図８に示すように長さ約２３８ｍｍ、幅約１２３ｍｍ、厚さ０．５ｍｍに構成されており、幅方向一端から他端に渡って貼り薬保持部材６０を容易に折り曲げることが可能な折り部１８が設けられると共に、この折り部１８は長手方向に渡って所定の間隔で４箇所設けられている。この貼り薬保持部材６０には、貼り薬７０を好適な位置に載置するため、擦れにより容易に消えることのないインクで枠線６６が描かれている（図８点線）。この枠線６６によって、貼り薬保持部材６０の所定位置に容易に貼り薬７０を定置させることができる。尚、枠線６６内に斜線や、塗りつぶしなどを行って、貼り薬７０の載置位置を判りやすくしても差し支えない。また、６２はベースシート１２の係合溝２４に係合される係合部材で後に詳しく説明する。
【００３９】
詳しくは、貼り薬保持部材６０の折り部１８は、図９に示すように谷折り、山折り、山折り、谷折りの合計４折りが左側から右方向に順に設けられており、４番目の山折りの右側下面に係合部材６２が設けられている。該貼り薬保持部材６０の折り畳み方法は、１番目の谷折り、４番目の谷折り、２番目の山折り、３番目の山折りの順に折り畳まれる。貼り薬保持部材６０の詳しい折り畳み方法は後に詳しく説明する。尚、折り部１８の符号は、図９のみ図示。
【００４０】
また、貼り薬保持部材６０は、折り部１８を一番目から４番目まで折り畳んだ際、５重に折り畳まれると共に、５重に折り畳んだ際両面（１番目以前の貼り薬保持部材６０と４番目以降の貼り薬保持部材６０）が平行（図１２）になるように、折り畳んだ内側の貼り薬保持部材６０の折り部１８から折り部１８までの寸法が短く設定されている。尚、６４は、貼り薬７０の薬部７２が手に貼り付かないように手で持って、ベースシート１２の装着部２０に貼り薬保持部材６０を装着するための取っ手部である。
【００４１】
該貼り薬保持部材６０には、前述したベースシート１２の装着部２０に設けられた係合溝２４に係合される前記した係合部材６２が設けられている。この係合部材６２は、貼り薬保持部材６０の幅方向に渡って延在すると共に、幅約６ｍｍ、厚さ約６ｍｍ、長さ約９９ｍｍに形成されている。該係合部材６２は、弾性部材（例えば、スポンジ）にて構成されている。
【００４２】
そして、係合部材６２の一側（図８下側）は、貼り薬保持部材６０縁部に面一に形成され、他側（図８上側）は貼り薬保持部材６０縁部から約４ｍｍ離間してＵ字形状に形成されている。該貼り薬保持部材６０は、係合部材６２がベースシート１２の装着部２０に設けられた係合溝２４に係合されると共に、係合部材６２他側のＵ字形状部分が係合溝２４の奥に当接されることにより位置決めされて、貼り薬保持部材６０がベースシート１２に装着される。
【００４３】
即ち、貼り薬保持部材６０は、ベースシート１２に着脱可能に装着されると共に、ベースシート１２装着部２０の係合溝２４（Ｕ字形状部）と、係合部材６２のＵ字形状部を合致させるだけで、貼り薬７０がベースシート１２の好適な位置に位置決めされる。また、貼り薬保持部材６０は、貼り薬７０を保持した状態で、前述したように折り畳み可能に構成されると共に、貼り薬７０の剥離シート７４の切れ目７８を表とした場合に、裏側に折り畳み可能とされ、貼り薬保持部材６０が折り畳まれた状態でベースシート１２の装着部２０に装着できるように構成されている。
【００４４】
以上の構成で、次に貼り薬の貼付補助器１０の使用方法を図１０を参照して（１）から順に説明を行う。尚、実施例で説明の貼り薬７０（冷湿布薬）はモーラステープ（商品名）で久光製薬株式会社にて製造販売されている。また、貼り薬７０は、予め中央に設けられた剥離シート７４の切れ目７８から裏側に二つ折りにして、左右の剥離シート７４を一度２０〜３０ｍｍ剥がして置くと次の作業を容易に行える。このとき、剥がした剥離シート７４は戻って薬部７２に貼り付いた場合でも、一度剥がした剥離シート７４は圧着しない限り容易に剥がすことができる。また、両握持部材３０は、ベースシート１２に設けた装着片２２に当接させて、剥離シート保持部３２の可動片４４が開かれているものとする。
【００４５】
先ず、係合部材６２が右裏側に位置するように、開いた状態の貼り薬保持部材６０を机上などに水平に置き、所定位置（一番目の折り部１８から４番目の折り部１８の間）に貼り薬７０を、貼り薬保持部材６０の縁に平行に載置する（１）。このとき、貼り薬７０の剥離シート７４を貼り薬保持部材６０の離間側に位置させる。次に一番目の折り部１８を矢印方向に谷折りしてその部分で貼り薬７０を挟み込んで保持し（２）、４番目の折り部１８を矢印方向に谷折りしてその部分で貼り薬７０を挟みんで保持する（３）。これによって、貼り薬７０の両端が折り畳まれた貼り薬保持部材６０に保持される。
【００４６】
次に、２番目の折り部１８を山折りし（３）、３番目の折り部１８を矢印方向に山折りする（４）。これによって、３番目の山折りした折り部１８の間に谷折りした一番目の折り部１８が挟まれた状態となり、両剥離シート７４は弾性力によって、中央の切れ目７８から自然に剥がれて両側方向に開き、貼り薬７０の薬部７２が露出する（図１１、図１２）。次に、貼り薬保持部材６０の両取っ手部６４、６４を手で持って裏側の係合部材６２を、前述の如きベースシート１２の装着部２０に設けられた装着片２２の係合溝２４に係合（合致）させる（図１３）。
【００４７】
次に、剥離シート保持部３２の固定片４２上に折り畳んだ貼り薬保持部材６０の剥離シート７４が位置しているのを確認（５）し、折り畳んだ貼り薬保持部材６０の剥離シート７４が固定片４２上からずれている場合は修正した後、両可動片４４をヒンジ部３４から回動させて固定片４２に吸着させる（６）。これにより、貼り薬７０がベースシート１２の装着部２０にセットされると共に、貼り薬７０の剥離シート７４が剥離シート保持部３２に保持される（７）。
【００４８】
そして、貼り薬７０を一人では手の届き難い体の所望部分（患部）に貼る場合、貼り薬の貼付補助器１０の両握持部材３０を離間させずにそのまま手で持って、薬部７２を移動（両握持部材３０の持ち位置をずらして薬部７２の位置を移動）して患部に当接させる。このとき、貼り薬７０の薬部７２が体に当接して貼り付いてしまわないように注意する。貼り薬７０の薬部７２を一人では手の届き難い体の患部に当接させたら、次に両握持部材３０を相互に離間する方向に引っ張る。
【００４９】
これにより、貼り薬７０から剥離シート７４が剥がされると共に、貼り薬保持部材６０で折り畳まれて両端が保持された貼り薬７０は、薬部７２と剥離シート７４の粘着力によって、当該剥離シート７４が剥離される方向に引っ張られて元の１００ｍｍ×１４０ｍｍの大きさに開く。次に、両握持部材３０を離間する方向に強く引っ張って、貼り薬の貼付補助器１０を体に押し付け、貼り薬７０を体の患部に圧着する。これにより、一人では手の届き難い体の患部に貼り薬７０を容易に、且つ、確実に貼り付けることができる。
【００５０】
このように、可撓性を有するベースシート１２と、該ベースシート１２に設けられ、中央に切れ目７８が設けられた剥離シート７４を有する貼り薬７０を保持可能な貼り薬保持部材６０と、該貼り薬保持部材６０の両側に位置してベースシート１２に移動可能に保持された可撓性を有する握持部材３０とを備え、各握持部材３０は、貼り薬保持部材６０に保持された状態の貼り薬７０の切れ目７８で対向する剥離シート７４の両縁部をそれぞれ保持可能な剥離シート７４保持部３２をそれぞれ有するので、貼り薬保持部材６０がベースシート１２の装着部２０に装着された状態で、貼り薬７０の中央から離間する方向に剥がされた剥離シート７４を握持部材３０の剥離シート７４保持部３２で保持させることが可能となる。これにより、両側の握持部材３０を相互に離間させるだけで、貼り薬７０の薬部７２に手が触れることなく剥離シート７４を剥がすことが可能となる。従って、各握持部材３０をそれぞれ手で持って、薬部７２を一人では手の届き難い体の所望部分に貼り付け圧着した後、握持部材３０を相互に離間する方向に離間させるだけで、貼り薬７０の薬部７２から剥離シート７４を剥がすことができ、一人では手の届き難い体の所望部分に貼り薬７０を貼ることができる。
【００５１】
特に、ベースシート１２と握持部材３０とは可撓性を有しているので、貼り薬の貼付補助器１０をコンパクトに折り畳むことができる。これにより、貼り薬の貼付補助器１０をハンドバックなどに収納することが可能となる。従って、貼り薬の貼付補助器１０を容易に持ち運ぶことができるようになるので、旅行先や外出先などで何時でも貼り薬の貼付補助器１０を使用することができ、貼り薬の貼付補助器１０の利便性を大幅に向上させることができるようになる。
【００５２】
また、貼り薬保持部材６０は、ベースシート１２の装着部２０に着脱可能に取り付けられると共に、貼り薬７０を保持した状態で、当該貼り薬７０の剥離シート７４の切れ目７８を表として裏側に折り畳み可能とされ、折り畳まれた状態でベースシート１２の装着部２０に取り付けられるので、貼り薬保持部材６０をベースシート１２の装着部２０に取り付ける以前に当該貼り薬保持部材６０の中央に貼り薬７０をセットして折り畳めば、貼り薬７０の剥離シート７４は弾性力で剥離して中央の切れ目７８部分を当該貼り薬７２の薬部７２から浮き上がらせることができる。
【００５３】
これにより、貼り薬７０の薬部７２に手が触れることなく簡単に剥離シート７４を剥がすことが可能となる。また、貼り薬保持部材６０が折り畳まれて、貼り薬７０の中央から剥離シート７４が剥がれた状態で、当該貼り薬保持部材６０をベースシート１２の装着部２０に装着するだけで、剥がれた剥離シート７４を、ベースシート１２に移動可能に保持された両側の握持部材３０の剥離シート７４保持部３２で保持させることが可能となる。従って、各握持部材３０をそれぞれ手で持って、薬部７２を一人では手の届き難い体の所望部分に貼り付け圧着した後、握持部材３０を相互に離間する方向に引き離せば、貼り薬７０の薬部７２から剥離シート７４を剥がすことができるので、貼り薬の貼付補助器１０の利便性を更に向上させることができる。
【００５４】
特に、貼り薬保持部材６０をベースシート１２の装着部２０に取り付ける以前に当該貼り薬保持部材６０の中央に貼り薬７０をセットして折り畳むだけで、貼り薬７０の剥離シート７４は弾性力で剥離して中央の切れ目７８部分を、当該貼り薬７２の薬部７２から浮き上がらせることができると共に、貼り薬保持部材６０をベースシート１２の装着部２０に装着して中央から両側に剥がれた剥離シート７４を両握持部材３０の剥離シート７４保持部３２に保持させて、薬部７２を一人では手の届き難い体の所望部分に貼り付け圧着した後、握持部材３０を相互に離間する方向に引っ張れば貼り薬７０の薬部７２から剥離シート７４を剥がすことが可能となる。これにより、貼り薬７０の薬部７２に手が触れることがないので、薬部７２の縁が巻き込まれたり、薬部７２が手に貼り付いてしまうなどと云った不都合を確実に防止することができる。
【００５５】
また、剥離シート７４の保持部３２は、ヒンジ部３４にて連結されて剥離シート７４の縁部を保持する一対の挟持部材４０を備え、各挟持部材４０は、先端部に設けられた滑り止め部材４６と、該滑り止め部材４６の周囲に設けられた永久磁石４８を対向する位置にそれぞれ有し、各永久磁石４８は相互に異なる極性を有すると共に、滑り止め部材４６の厚さ寸法は永久磁石４８より大きく設定されているので、両挟持部材４０に設けられた滑り止め部材４６と滑り止め部材４６との間に貼り薬７０の剥離シート７４がそれぞれ挿入されて、対向する相互に異なる極性の永久磁石４８が吸着し密着される。これにより、永久磁石４８よりも厚さが大きな両滑り止め部材４６にて強力に剥離シート７４を保持することができる。従って、握持部材３０を相互に離間する方向に引っ張った際、両挟持部材４０から剥離シート７４が外れることなく、薬部７２から容易に剥離シート７４を剥がすことができる。
【００５６】
また、中央の切れ目７８から両側に剥がれた剥離シート７４を剥離シート保持部３２で保持した状態で、握持部材３０を相互に離間する方向に引っ張ることにより薬部７２から剥離シート７４を剥がしながら、当該薬部７２を体に貼るようにしているので、従来のように、貼り薬に空気（気泡）が入った状態で貼られてしまうなどといった不都合も発生しない。このため、貼り付けた貼り薬７０に気泡による突部も無く、また、貼り薬７０にしわがよってしまうなど言った不都合も発生しないため、貼り薬７０を体に綺麗に貼ることができる。
【００５７】
尚、実施の形態では、貼り薬保持部材６０に設けられた係合部材６２の一側を貼り薬保持部材６０縁部に面一に形成し、他側を貼り薬保持部材６０縁部から約４ｍｍ離間してＵ字形状に形成したが、係合部材６２の形状はこれに限られず、係合部材６２の一側も他側同様貼り薬保持部材６０縁部から約４ｍｍ離間してＵ字形状に形成しても差し支えない。この場合、係合部材６２の一側と他側にＵ字形状が形成されるので、ベースシート１２装着部２０の係合溝２４（Ｕ字形状部）に、係合部材６２のどちらのＵ字形状部でも合致させることができる。これにより、係合部材６２をどちらの方向からでもベースシート１２の装着部２０の係合溝２４に係合させることができるので、貼り薬保持部材６０を装着する際の利便性を極めて向上させることができる。
【００５８】
また、挟持部材４０は、対向する永久磁石４８を相互に異なる極性としたが、挟持部材４０は、対向して永久磁石４８を設けず、どちらか一方に永久磁石４８が吸着する金属板（例えば、鉄板）を設けても差し支えない。これにより、一方の金属板が永久磁石４８に吸着するため、永久磁石４８の極性を選ぶ必要がなくなるので、挟持部材４０の製造作業性が極めて向上し、大幅なコストの低減を図ることが可能となる。
【００５９】
また、実施形態では貼り薬の貼付補助器１０の形状や寸法を記載したが、貼り薬の貼付補助器１０の要旨を逸脱しない範囲内で形状や寸法を変更しても良いのは云うまでもない。勿論本発明は、上記各実施例のみに限定されるものではなく、この発明の趣旨を逸脱しない範囲で他の様々な変更を行っても本発明は有効である。
【符号の説明】
【００６０】
１０  貼り薬の貼付補助器
１２  ベースシート
１４  ストッパー
１６  折り畳線
１８  折り部
２０  装着部
２２  装着片
２４  係合溝
３０  握持部材
３２  剥離シート保持部
３４  ヒンジ部
４０  挟持部材
４６  滑り止め部材
４８  永久磁石
６０  貼り薬保持部材
６２  係合部材
６４  取っ手部
７０  貼り薬
７２  薬部
７４  剥離シート
７８  切れ目
【図１】
2012170480.tif 000003
【図２】
2012170480.tif 000004
【図３】
2012170480.tif 000005
【図４】
2012170480.tif 000006
【図５】
2012170480.tif 000007
【図６】
2012170480.tif 000008
【図７】
2012170480.tif 000009
【図８】
2012170480.tif 000010
【図９】
2012170480.tif 000011
【図１０】
2012170480.tif 000012
【図１１】
2012170480.tif 000013
【図１２】
2012170480.tif 000014
【図１３】
2012170480.tif 000015